(57)【要約】【課題】  基地局と移動局との間の距離を判断し、その距離によってコンプレストモードの起動を制御できるようにする。【解決手段】  移動局が一の基地局から他の基地局へ通信先を切り替えるハンドオーバ時にコンプレストモードを起動しうる移動通信システムにおいて、基地局と移動局との間の距離を測定し、測定した距離に応じて前記コンプレストモードの起動を制御する（Ｓ２，Ｓ３）。【選択図】        図２
2006333314.tif 000002
【特許請求の範囲】
【請求項１】
複数の基地局と、該基地局と通信し得る移動局とをそなえ、該移動局が一の基地局から他の基地局へ通信先を切り替えるハンドオーバ時にコンプレストモードを起動しうる移動通信システムであって、
該基地局と該移動局との間の距離を測定する距離測定手段と、
該距離測定手段により測定した距離に応じて前記コンプレストモードの起動を制御する制御手段とをそなえたことを特徴とする、移動通信システム。
【請求項２】
該制御手段が、
該距離測定手段により測定した距離と前記所定の閾値とを比較する比較部と、
該比較部による比較の結果、前記測定した距離が前記閾値よりも短いと、前記コンプレストモードの起動を禁止するコンプレストモード起動禁止部とをそなえたことを特徴とする、請求項１記載の移動通信システム。
【請求項３】
該距離測定手段が、
該移動局での該基地局からの信号受信レベルの測定結果に基づいて、前記の基地局と移動局との間の距離を推定する信号受信レベル距離推定部として構成されたことを特徴とする、請求項１又は２に記載の移動通信システム。
【請求項４】
該距離測定手段が、
該基地局と該移動局との間で送受されるデータの伝搬遅延量に基づいて、前記の基地局と移動局との間の距離を推定する伝搬遅延量距離推定部として構成されたことを特徴とする、請求項１又は２に記載の移動通信システム。
【請求項５】
該距離測定手段が、
ＧＰＳ（Global Positioning System）による該基地局及び該移動局についての位置測位結果に基づいて、前記の基地局と移動局との間の距離を推定するＧＰＳ距離推定部として構成されたことを特徴とする、請求項１又は２に記載の移動通信システム。
【請求項６】
該距離測定手段が、
該移動局が同時に複数の基地局と通信中の場合に、当該複数の基地局と該移動局との間の距離をそれぞれ測定する複数距離測定部として構成されるとともに、
該コンプレストモード起動禁止部が、
該複数距離測定部により測定された複数の距離のうち、少なくとも１つの距離が前記閾値よりも短いと、前記コンプレストモードの起動を禁止するように構成されたことを特徴とする、請求項２〜５のいずれか１項に記載の移動通信システム。
【請求項７】
複数の基地局と、該基地局と通信し得る移動局とをそなえ、該移動局が一の基地局から他の基地局へ通信先を切り替えるハンドオーバ時にコンプレストモードを起動しうる移動通信システムにおいて、
該基地局と該移動局との間の距離を測定し、
測定した距離に応じて前記コンプレストモードの起動を制御することを特徴とする、移動通信システムにおけるコンプレストモード制御方法。
【請求項８】
前記測定した距離が所定の閾値よりも短い場合に、前記コンプレストモードの起動を禁止することを特徴とする、請求項７記載の移動通信システムにおけるコンプレストモード制御方法。
【請求項９】
前記の基地局と移動局との間の距離は、該移動局での該基地局からの信号受信レベルの測定結果に基づいて推定することを特徴とする、請求項７又は８に記載の移動通信システムにおけるコンプレストモード制御方法。
【請求項１０】
前記の基地局と移動局との間の距離は、該基地局と該移動局との間で送受されるデータの伝搬遅延量に基づいて推定することを特徴とする、請求項７又は８に記載の移動通信システムにおけるコンプレストモード制御方法。
【請求項１１】
前記の基地局と移動局との間の距離は、ＧＰＳ（Global Positioning System）による該基地局及び該移動局についての位置測位結果に基づいて推定することを特徴とする、請求項７又は８に記載の移動通信システムにおけるコンプレストモード制御方法。
【請求項１２】
該移動局が同時に複数の基地局と通信中の場合は、当該複数の基地局と該移動局との間の距離をそれぞれ測定し、該移動局と少なくとも１つの基地局との間の距離が前記閾値よりも短い場合に、前記コンプレストモードの起動を禁止することを特徴とする、請求項８〜１１のいずれか１項に記載の移動通信システムにおけるコンプレストモード制御方法。
【請求項１３】
複数の基地局と、該基地局と通信し得る移動局とをそなえ、該移動局が一の基地局から他の基地局へ通信先を切り替えるハンドオーバ時にコンプレストモードを起動しうる移動通信システムにおける前記基地局であって、
該移動局との間の距離を測定する距離測定手段と、
該距離測定手段により測定した距離に応じて前記コンプレストモードの起動を制御する制御手段とをそなえたことを特徴とする、移動通信システムにおける基地局。
【請求項１４】
該制御手段が、
該距離測定手段により測定した距離と前記所定の閾値とを比較する比較部と、
該比較部による比較の結果、前記測定した距離が前記閾値よりも短いと、前記コンプレストモードの起動を禁止するコンプレストモード起動禁止部とをそなえたことを特徴とする、請求項１３記載の移動通信システムにおける基地局。
【請求項１５】
該距離測定手段が、
該移動局での該基地局からの信号受信レベルの測定結果に基づいて、前記の基地局と移動局との間の距離を推定する信号受信レベル距離推定部として構成されたことを特徴とする、請求項１３又は１４に記載の移動通信システムにおける基地局。
【請求項１６】
該距離測定手段が、
該基地局と該移動局との間で送受されるデータの伝搬遅延量に基づいて、前記の基地局と移動局との間の距離を推定する伝搬遅延量距離推定部として構成されたことを特徴とする、請求項１３又は１４に記載の移動通信システムにおける基地局。
【請求項１７】
該距離測定手段が、
ＧＰＳ（Global Positioning System）による該基地局及び該移動局についての位置測位結果に基づいて、前記の基地局と移動局との間の距離を推定するＧＰＳ距離推定部として構成されたことを特徴とする、請求項１３又は１４に記載の移動通信システムにおける基地局。
【請求項１８】
該距離測定手段が、
該移動局が同時に複数の基地局と通信中の場合に、当該複数の基地局と該移動局との間の距離をそれぞれ測定する複数距離測定部として構成されるとともに、
該コンプレストモード起動禁止部が、
該複数距離測定部により測定された複数の距離のうち、少なくとも１つの距離が前記閾値よりも短いと、前記コンプレストモードの起動を禁止するように構成されたことを特徴とする、請求項１４〜１７のいずれか１項に記載の移動通信システムにおける基地局。
【請求項１９】
複数の基地局と、該基地局と通信し得る移動局とをそなえ、該移動局が一の基地局から他の基地局へ通信先を切り替えるハンドオーバ時にコンプレストモードを起動しうる移動通信システムにおける前記移動局であって、
該基地局との間の距離を測定する距離測定手段と、
該距離測定手段により測定した距離に応じて前記コンプレストモードの起動を制御するための制御情報を生成する制御情報生成手段と、
該制御情報生成手段により生成された該制御情報を該基地局へ送信する制御情報送信手段とをそなえたことを特徴とする、移動通信システムにおける移動局。
【請求項２０】
該制御情報生成手段が、
該距離測定手段により測定した距離と前記所定の閾値とを比較する比較部と、
該比較部による比較の結果、前記測定した距離が前記閾値よりも短いと、前記コンプレストモードの起動を禁止するコンプレストモード起動禁止制御情報を生成するコンプレストモード起動禁止制御情報生成部とをそなえて構成されたことを特徴とする、請求項１９記載の移動通信システムにおける移動局。
【発明の詳細な説明】
【技術分野】
【０００１】
本発明は、移動通信システム、同システムにおけるコンプレストモード制御方法並びに同システムにおける基地局及び移動局に関し、特に、異周波ハンドオーバ時に３ＧＰＰ（3rd Generation Partnership Project）で規定されているコンプレストモードの制御に好適な技術に関する。
【背景技術】
【０００２】
図１３はW-CDMA（Wideband-Code Division Multiple Access）移動通信システムの一例を示すブロック図で、この図１３に示すシステムは、例えば、２つの基地局（ＢＴＳ）１００，２００と、移動局（ＭＳ）３００とをそなえており、移動局３００は、基地局１００，２００がそれぞれ形成するセル１０１，１０２において無線回線により基地局１００，２００にアクセスして通信を行なう。
【０００３】
ここで、例えば、基地局１００と通信中の移動局３００がセル１０１から隣接するセル１０２に移動する場合、いわゆる「ハンドオーバ」が行なわれる。即ち、移動局３００は、移動によりセル１０１とセル１０２とが重複するエリア、つまり、基地局１００だけでなく基地局２００からの信号も受信できるエリアに移動すると、基地局２００からの信号受信により基地局２００の存在を検出し、あるタイミング（例えば、基地局２００からの信号受信レベルの方が高くなった場合等）で通信先を基地局２００に切り替える。
【０００４】
この際、移動元のセル１０１と移動先のセル１０２の周波数が異なる場合には、かかる「ハンドオーバ」を行なうのに、３ＧＰＰでは、「コンプレストモード」と呼ばれる通信処理が規定されている。即ち、基地局１００と移動局３００との通信中に、基地局１００は、「コンプレストモード」の起動を移動局３００に通知した上で、少なくとも移動局３００への送信データ（スロット）の一部を圧縮して、送信スロットに空き（データ送信を行なわない送信ギャップ期間）を作り出し、移動局３００は、その送信ギャップ期間において基地局２００からの異周波数の信号受信レベルを測定する。これにより、移動局３００は、例えば基地局２００からの信号受信レベルの方が高くなった場合に使用周波数を移動先のセル１０２の周波数に切り替えてハンドオーバを実行する。なお、「コンプレストモード」では、周波数切り替えに伴って、基地局２００（１００）側だけでなく、移動局３００側も、基地局２００（１００）への上りスロットの一部を圧縮して空き（送信ギャップ期間）を作り出すこともある。「コンプレストモード」の詳細については、下記非特許文献１において説明されている。
【非特許文献１】3rd Generation Partnership Project (3GPP); Technical Specification Group Radio Access Network;, “TS 25.212 V6.4.0 (2005-03) Multiplexing and channel coding (FDD) (Release 6)”
【発明の開示】
【発明が解決しようとする課題】
【０００５】
上述のように、移動局３００が隣接するセル１０２に移動する場合、現在通信を行なっている基地局１００（セル１０１）から遠ざかり、隣接する基地局２００（セル１０２）に近づくことにより「コンプレストモード」が起動されるように制御する必要がある。これに対して、現在通信を行なっている基地局〔例えば、基地局１００の近く（図１４の基地局近傍エリア１１１）〕に移動局３００が位置している場合は、「コンプレストモード」を起動する必要はないが、現状のシステムでは、このような場合でも「コンプレストモード」が誤って起動されてしまい、基地局１００，２００，移動局３００ともに無用な処理を行なってしまう可能性がある。
【０００６】
本発明は、このような課題に鑑み創案されたもので、基地局と移動局との間の距離を判断し、その距離によって「コンプレストモード」の起動を制御できるようにすることを目的とする。
【課題を解決するための手段】
【０００７】
上記の目的を達成するために、本発明は、以下の移動通信システム、同システムにおけるコンプレストモード制御方法、同システムにおける基地局並びに移動局を用いることを特徴としている。
（１）即ち、本発明の移動通信システムは、複数の基地局と、該基地局と通信し得る移動局とをそなえ、該移動局が一の基地局から他の基地局へ通信先を切り替えるハンドオーバ時にコンプレストモードを起動しうる移動通信システムであって、
該基地局と該移動局との間の距離を測定する距離測定手段と、
該距離測定手段により測定した距離に応じて前記コンプレストモードの起動を制御する制御手段とをそなえたことを特徴としている。
【０００８】
（２）ここで、該制御手段は、該距離測定手段により測定した距離と前記所定の閾値とを比較する比較部と、該比較部による比較の結果、前記測定した距離が前記閾値よりも短いと、前記コンプレストモードの起動を禁止するコンプレストモード起動禁止部とをそなえていてもよい。
（３）また、該距離測定手段は、該移動局での該基地局からの信号受信レベルの測定結果に基づいて、前記の基地局と移動局との間の距離を推定する信号受信レベル距離推定部として構成してもよい。
【０００９】
（４）さらに、該距離測定手段は、該基地局と該移動局との間で送受されるデータの伝搬遅延量に基づいて、前記の基地局と移動局との間の距離を推定する伝搬遅延量距離推定部として構成してもよい。
（５）また、該距離測定手段は、ＧＰＳ（Global Positioning System）による該基地局及び該移動局についての位置測位結果に基づいて、前記の基地局と移動局との間の距離を推定するＧＰＳ距離推定部として構成してもよい。
【００１０】
（６）さらに、該距離測定手段は、該移動局が同時に複数の基地局と通信中の場合に、当該複数の基地局と該移動局との間の距離をそれぞれ測定する複数距離測定部として構成されるとともに、該コンプレストモード起動禁止部は、該複数距離測定部により測定された複数の距離のうち、少なくとも１つの距離が前記閾値よりも短いと、前記コンプレストモードの起動を禁止するように構成されてもよい。
【００１１】
（７）また、本発明の移動通信システムにおけるコンプレストモード制御方法は、複数の基地局と、該基地局と通信し得る移動局とをそなえ、該移動局が一の基地局から他の基地局へ通信先を切り替えるハンドオーバ時にコンプレストモードを起動しうる移動通信システムにおいて、該基地局と該移動局との間の距離を測定し、測定した距離に応じて前記コンプレストモードの起動を制御することを特徴としている。
【００１２】
（８）ここで、前記測定した距離が所定の閾値よりも短い場合に、前記コンプレストモードの起動を禁止するのが好ましい。
（９）また、前記の基地局と移動局との間の距離は、該移動局での該基地局からの信号受信レベルの測定結果に基づいて推定してもよい。
（１０）さらに、前記の基地局と移動局との間の距離は、該基地局と該移動局との間で送受されるデータの伝搬遅延量に基づいて推定してもよい。
【００１３】
（１１）また、前記の基地局と移動局との間の距離は、ＧＰＳ（Global Positioning System）による該基地局及び該移動局についての位置測位結果に基づいて推定してもよい。
（１２）さらに、該移動局が同時に複数の基地局と通信中の場合は、当該複数の基地局と該移動局との間の距離をそれぞれ測定し、該移動局と少なくとも１つの基地局との間の距離が前記閾値よりも短い場合に、前記コンプレストモードの起動を禁止することもできる。
【００１４】
（１３）また、本発明の移動通信システムにおける前記基地局は、複数の基地局と、該基地局と通信し得る移動局とをそなえ、該移動局が一の基地局から他の基地局へ通信先を切り替えるハンドオーバ時にコンプレストモードを起動しうる移動通信システムにおけるものであって、該移動局との間の距離を測定する距離測定手段と、該距離測定手段により測定した距離に応じて前記コンプレストモードの起動を制御する制御手段とをそなえたことを特徴としている。
【００１５】
（１４）ここで、該制御手段は、該距離測定手段により測定した距離と前記所定の閾値とを比較する比較部と、該比較部による比較の結果、前記測定した距離が前記閾値よりも短いと、前記コンプレストモードの起動を禁止するコンプレストモード起動禁止部とをそなえていてもよい。
（１５）また、該距離測定手段は、該移動局での該基地局からの信号受信レベルの測定結果に基づいて、前記の基地局と移動局との間の距離を推定する信号受信レベル距離推定部として構成してもよい。
【００１６】
（１６）さらに、該距離測定手段は、該基地局と該移動局との間で送受されるデータの伝搬遅延量に基づいて、前記の基地局と移動局との間の距離を推定する伝搬遅延量距離推定部として構成してもよい。
（１７）また、該距離測定手段は、ＧＰＳ（Global Positioning System）による該基地局及び該移動局についての位置測位結果に基づいて、前記の基地局と移動局との間の距離を推定するＧＰＳ距離推定部として構成してもよい。
【００１７】
（１８）さらに、該距離測定手段は、該移動局が同時に複数の基地局と通信中の場合に、当該複数の基地局と該移動局との間の距離をそれぞれ測定する複数距離測定部として構成されるとともに、該コンプレストモード起動禁止部は、該複数距離測定部により測定された複数の距離のうち、少なくとも１つの距離が前記閾値よりも短いと、前記コンプレストモードの起動を禁止するように構成されてもよい。
【００１８】
（１９）また、本発明の移動通信システムにおける移動局は、複数の基地局と、該基地局と通信し得る移動局とをそなえ、該移動局が一の基地局から他の基地局へ通信先を切り替えるハンドオーバ時にコンプレストモードを起動しうる移動通信システムにおけるものであって、該基地局との間の距離を測定する距離測定手段と、該距離測定手段により測定した距離に応じて前記コンプレストモードの起動を制御するための制御情報を生成する制御情報生成手段と、該制御情報生成手段により生成された該制御情報を該基地局へ送信する制御情報送信手段とをそなえたことを特徴としている。
【００１９】
（２０）ここで、該制御情報生成手段は、該距離測定手段により測定した距離と前記所定の閾値とを比較する比較部と、該比較部による比較の結果、前記測定した距離が前記閾値よりも短いと、前記コンプレストモードの起動を禁止するコンプレストモード起動禁止制御情報を生成するコンプレストモード起動禁止制御情報生成部とをそなえて構成されてもよい。
【発明の効果】
【００２０】
上記本発明によれば、基地局と移動局との距離を判断し、距離が近い場合にコンプレストモードの起動を抑制（禁止）することで、コンプレストモードの起動が必要ない場合においてもコンプレストモードが起動され、不要な隣接セル検出及び、ハンドオーバが起こることを防ぐことができる。
【発明を実施するための最良の形態】
【００２１】
〔Ａ〕第１実施形態
図１は本発明の第１実施形態に係るW-CDMA移動通信システムの構成を示すブロック図で、この図１に示すシステムは、基地局１と、この基地局１が形成するセルにおいて無線回線により基地局１にアクセスして通信し得る移動局２とをそなえて構成され、基地局１は、その要部に着目すると、例えば、送信部１１，受信部１２，受信レベル比較部１３及びコンプレストモード起動制御部１４をそなえて構成される一方、移動局２は、その要部に着目すると、例えば、送信部２１，受信部２２，受信レベル測定部２３及び受信レベル通知部２４をそなえて構成されている。
【００２２】
ここで、基地局１において、送信部１１は、移動局２への送信データを所定の無線周波数により送信するもので、送信データの符号化、変調、無線周波数へのアップコンバート等の所要の送信処理機能を含むものであり、受信部１２は、移動局２が送信したデータを無線回線により受信するもので、受信データのダウンコンバート、復調、復号等の所要の受信処理機能を含むものである。
【００２３】
受信レベル比較部１３は、移動局２の受信レベル測定部２３で測定され受信部１２経由で受信される受信レベル情報と、当該受信レベル情報に関する所定の閾値とを比較するものであり、コンプレストモード起動制御部１４は、この受信レベル比較部１３での比較の結果、移動局２から受信された受信レベル情報が所定の閾値未満で、基地局１と移動局２との間の距離が所定距離よりも遠いと判断した場合に、コンプレストモードを起動（具体的には、送信スロットの一部を圧縮してデータ送信を行なわない送信ギャップ期間を生成）し、前記受信レベル情報が前記閾値以上で、基地局１と移動局２との間の距離が所定距離よりも短いと判断した場合には、コンプレストモードの起動を抑制（禁止）するものである。
【００２４】
つまり、上記の受信部１２は、移動局２との距離を測定する距離測定手段、特に、移動局２からの受信レベル情報を受信することにより移動局２での基地局１からの信号受信レベルの測定結果に基づいて基地局１と移動局２との間の距離を推定する信号受信レベル距離推定部として機能し、上記の受信レベル比較部１３及びコンプレストモード起動制御部１４は、測定した距離に応じてコンプレストモードの起動を制御する制御手段として機能し、さらに、コンプレストモード起動制御部１４は、受信レベル比較部１３による比較の結果、測定した距離が閾値よりも短いと、コンプレストモードの起動を禁止するコンプレストモード起動禁止部として機能するのである。
【００２５】
一方、移動局２において、送信部２１は、基地局１への上り送信データを所定の無線周波数により送信するもので、送信データの符号化、変調、無線周波数へのアップコンバート等の所要の送信処理機能を含むものであり、受信部２２は、基地局２が送信した下りデータを無線回線により受信するもので、受信データのダウンコンバート、復調、復号等の所要の受信処理機能を含むものである。
【００２６】
受信レベル測定部２３は、受信部２２での信号受信レベル、つまり、基地局１からの下りリンクの信号受信レベルを測定するものであり、受信レベル通知部２４は、この受信レベル測定部２３による測定結果を前記受信レベル情報として生成するもので、当該受信レベル情報は送信部２１経由で基地局１へと送信されるようになっている。
なお、受信レベルの測定対象は、基地局１と移動局２との距離とは無関係に電力制御が行なわれないチャネル、例えば共通パイロットチャネル（CPICH）等の共通チャネルが好ましい。このような共通チャネルであれば、移動局２での受信レベルは、移動局２が基地局１の近くに位置しているときには高く、移動局２が基地局１から遠くに位置しているときには低くなるので、受信レベルによって基地局１と移動局２との距離を判断することが可能である。共通パイロットチャネルを測定対象とする場合、本例の制御に用いる移動局２の受信レベルとしては、CPICH-RSCP（Received Signal Code Power）やCPICH-Ec/No等がある。なお、「RSCP」は基地局から受信する電波の強さを評価する希望波受信電力を意味し、「Ec/No」は希望波１チップ当たりのエネルギー対帯域内受信電力密度比を意味する。
【００２７】
以下、上述のごとく構成された本実施形態のシステムの動作について、図２を参照しながら説明する。
例えば、移動局２は、基地局１との個別チャネル（ＤＣＨ）による通信中において（ステップＳ１）、受信レベル測定部２３による測定結果を受信レベル通知部２４及び送信部２１経由で基地局１に所定周期で、あるいは、ランダムに通知し、基地局１は、その通知情報（受信レベル情報）を受けると、受信レベル比較部１３により当該受信レベル情報と前記閾値との比較を行なって、コンプレストモード起動制御部１４により移動局２との間の距離が所定距離よりも遠いか否かを判定する（ステップＳ２）。
【００２８】
その結果、移動局２から通知された受信レベル情報が前記閾値未満であった場合、コンプレストモード起動制御部１４は、基地局１と移動局２との間の距離が所定距離よりも遠いと判定し、コンプレストモードを起動させる（ステップＳ２のＹｅｓルートからステップＳ３）。これに対して、移動局２から通知された受信レベル情報が前記閾値以上であった場合、コンプレストモード起動制御部１４は、基地局１と移動局２との間の距離が所定距離よりも近いと判定し、コンプレストモードは起動させない（起動禁止；ステップＳ２のＮｏルート）。
【００２９】
このように、本実施形態によれば、基地局１と移動局２との間の距離を判断し、距離が所定距離よりも近い場合にコンプレストモードの起動を抑制することができるので、コンプレストモードの起動が必要ない場合においても誤ってコンプレストモードが起動されてしまって、不要な隣接セル検出、及び、ハンドオーバ等の処理が起こることを防ぐことができる。
【００３０】
（Ａ１）第１実施形態の変形例
図３は図１により上述したW-CDMA移動通信システムの変形例を示すブロック図で、この図３に示すシステムは、図１により前述した構成に比して、基地局１が、受信レベル比較部１３に代えてコンプレストモード起動制御情報受信部１５をそなえるとともに、移動局２が、受信レベル通知部２４に代えて比較部２５及びコンプレストモード起動制御情報生成部２６をそなえて構成されている点が異なる。なお、この図３及び以下において、既述の符号と同一符号を付して説明するものは、特に断らない限り、既述のものと同一若しくは同様のものである。
【００３１】
ここで、移動局２において、比較部２５は、受信レベル測定部２３で測定された下り信号受信レベルと、当該信号受信レベルについての所定の閾値とを比較するものであり、コンプレストモード起動制御情報生成部（制御情報生成手段、コンプレストモード起動禁止制御情報生成部）２６は、この比較部２５による比較の結果、前記受信レベルが前記閾値以上で、基地局１と移動局２との間の距離が所定距離よりも短いと判断した場合に、コンプレストモードの起動を抑制（禁止）するための制御情報（コンプレストモード起動禁止制御情報）を生成するもので、当該制御情報は制御情報送信手段として機能する送信部２１経由で基地局１に送信されるようになっている。なお、受信レベルが所定の閾値未満で、基地局１と移動局２との間の距離が所定距離よりも遠い場合には、コンプレストモードを起動するための制御情報を生成してもよいし、制御情報は生成しないようにしてもよい。
【００３２】
一方、基地局１において、コンプレストモード起動制御情報受信部１５は、移動局１から送信されてくる上記制御情報を受信部１２経由で受信するもので、本例の場合、コンプレストモード起動制御部１４は、このコンプレストモード起動制御情報受信部１５で受信される制御情報に従ってコンプレストモードの起動を制御することになる。即ち、例えば、前記制御情報としてコンプレストモードを起動するための制御情報が受信されれば（あるいは、制御情報が受信されない間は）、コンプレストモードを起動し、前記コンプレストモード起動禁止制御情報が受信されれば、コンプレストモードは起動しない。
【００３３】
つまり、図１及び２により前述した第１実施形態では、コンプレストモードの基地局１と移動局２との間の距離による起動判断を基地局１側で行なっていたのに対し、本例では、移動局２側で同等の判断を行なってその判断結果を制御情報として基地局１へ通知するようになっているのである。
このようにしても、第１実施形態と同様に、基地局１と移動局２との距離が近くコンプレストモードの起動が必要ない場合においても誤ってコンプレストモードが起動されてしまって、不要な隣接セル検出、及び、ハンドオーバ等の処理が起こることを防ぐことができる。
【００３４】
〔Ｂ〕第２実施形態
図４は本発明の第２実施形態に係るW-CDMA移動通信システムの構成を示すブロック図で、この図４に示すシステムも、基地局１と、この基地局１が形成するセルにおいて無線回線により基地局１にアクセスして通信し得る移動局２とをそなえて構成され、基地局１は、その要部に着目すると、例えば、送信部１１，受信部１２，コンプレストモード起動制御部１４及び送信遅延量測定部１６をそなえて構成される一方、移動局２は、その要部に着目すると、例えば、送信部２１及び受信部２２をそなえて構成されている。
【００３５】
つまり、この図４に示すシステムは、図１により前述した構成に比して、基地局１において、受信レベル比較部１３に代えて送信遅延量測定部１６がそなえられるとともに、移動局２において、受信レベル測定部２３及び受信レベル通知部２４が不要になっている点が異なっている。なお、以下において、既述の符号と同一符号を付したものは、特に断らない限り、既述のものと同一若しくは同様のものである。
【００３６】
ここで、基地局１の上記送信遅延量測定部（距離測定手段、伝播遅延量距離推定部）１６は、移動局１との間で送受されるデータの送受信タイミング差を基に基地局１と移動局２との間の距離を測定（推定）するものである。例えば図５及び図６に示すように、移動局２の個別チャネル（ＤＣＨ：Dedicated CHannel）の受信タイミングとＤＣＨの送信タイミングとは、１０２４チップ（chip）離れていることが３ＧＰＰにより規定されている。これは、基地局１のＤＣＨの送受信タイミング差においては、基地局１と移動局２との間の距離が近い程、伝播遅延の影響をあまり受けずに１０２４チップに近くなることを意味している（図５及び図６参照）。なお、図５は基地局１と移動局２との距離が遠い場合、図６は基地局１と移動局２との距離が近い場合の送受信タイミングをそれぞれ示している。
【００３７】
具体的に、電波の伝播遅延量は、次のようにして求めることができる。即ち、電波の速度を３×Ｅ８（m/s）、チップレートを３．８４Ｍ（chip/s）とすると、距離による伝播遅延量は、例えば１００ｍにつき約1.28chipずれることが計算により求まる。したがって、送信遅延量測定部１６は、基地局１からのＤＣＨの送信タイミングと移動局２からのＤＣＨの受信タイミングとの差から基地局１と移動局２との間の伝播遅延量を求めて、基地局１と移動局２との間の距離を測定（推定）することができる。
【００３８】
そして、本例の場合、コンプレストモード起動制御部（制御手段）１４は、測定した伝播遅延量と伝播遅延量についての閾値とを比較して、測定した伝播遅延量が閾値以下なら基地局１と移動局２との距離が近いと判断して、コンプレストモードは起動せず、逆に、測定した伝播遅延量が閾値を超えていれば基地局１と移動局２との距離が遠いと判断して、コンプレストモードを起動するように構成される。
【００３９】
つまり、本例のコンプレストモード起動制御部１４は、上記閾値比較を行なう比較部と、この比較部による比較の結果、基地局１と移動局２との距離が閾値よりも短いと、コンプレストモードの起動を禁止するコンプレストモード起動禁止部としての機能を有している。
以下、上述のごとく構成された本実施形態のシステムの動作について、図７を参照しながら説明する。
【００４０】
例えば、基地局１は、移動局２との個別チャネル（ＤＣＨ）による通信中において（ステップＳ１１）、送信遅延量測定部１６によって、基地局１からのＤＣＨの送信タイミングと移動局２からのＤＣＨの受信タイミングとの差から基地局１と移動局２との間の伝播遅延量を求め、閾値との比較判定を行なう（ステップＳ１２）。
その結果、測定した伝播遅延量が閾値よりも大きい場合は、基地局１と移動局２との距離が遠いと判断し、その判断結果を受けてコンプレストモード起動制御部１４がコンプレストモードを起動する（ステップＳ１２のＹｅｓルートからステップＳ１３）。これに対して、測定した伝播遅延量が閾値以下であった場合は、基地局１と移動局２との距離が近いと判断し、その判断結果を受けてコンプレストモード起動制御部１４はコンプレストモードを起動しない（ステップＳ１２のＮｏルート）。
【００４１】
このように、本実施形態によれば、基地局１と移動局２との間の距離を基地局１と移動局２との間の送受信タイミング差（伝播遅延量）を基に判断し、その距離が所定距離よりも近い場合にコンプレストモードの起動を抑制することができるので、第１実施形態（受信レベルを基に距離を判断する態様）に比して、より確実に、不要な隣接セル検出、及び、ハンドオーバ等の処理の防止を期待できる。
【００４２】
なお、本例の伝播遅延量に基づく距離判断は、前述した第１実施形態又はその変形例における受信レベルに基づく距離判断とＡＮＤ条件やＯＲ条件により組み合わせて適用することもできる。このようにすれば、さらに、不要な隣接セル検出、及び、ハンドオーバ等の処理の防止効果を期待できる。
〔Ｃ〕第３実施形態
図８は本発明の第３実施形態に係るW-CDMA移動通信システムの構成を示すブロック図で、この図８に示すシステムも、基地局１と、この基地局１が形成するセルにおいて無線回線により基地局１にアクセスして通信し得る移動局２とをそなえて構成され、基地局１は、その要部に着目すると、例えば、送信部１１，受信部１２，コンプレストモード起動制御部１４及び移動局ＧＰＳ位置情報受信部１７をそなえて構成される一方、移動局２は、その要部に着目すると、例えば、送信部２１，受信部２２，ＧＰＳ位置情報取得部２７及びＧＰＳ位置情報送信部２８をそなえて構成されている。
【００４３】
つまり、本実施形態のシステムは、図１により前述したシステムに比して、基地局１において、受信レベル比較部１３に代えて移動局ＧＰＳ位置情報受信部１７がそなえられるとともに、移動局２において、受信レベル測定部２３及び受信レベル通知部２４に代えてＧＰＳ位置情報取得部２７及びＧＰＳ位置情報送信部２８がそなえられている点が異なっている。なお、以下において、既述の符号と同一符号を付したものは、特に断らない限り、既述のものと同一若しくは同様のものである。
【００４４】
ここで、移動局２において、ＧＰＳ位置情報取得部２７は、ＧＰＳ（Global Positioning System）によって移動局２の位置情報を測位、取得するものであり、ＧＰＳ位置情報送信部２８は、このＧＰＳ位置情報取得部２７により取得した位置情報を、送信部２１を通じて基地局１へ送信するものである。
一方、基地局１の移動局ＧＰＳ位置情報受信部１７は、上記ＧＰＳ位置情報送信部２８により移動局２から送信されてきた前記位置情報を受信部１２経由で受信するもので、この場合、コンプレストモード起動制御部１４は、受信した位置情報により基地局１と移動局２との距離を求め、その距離によってコンプレストモードの起動／禁止（抑制）を制御することになる。つまり、移動局ＧＰＳ位置情報受信部１７は、ＧＰＳによる基地局２及び移動局１についての位置測位結果に基づいて、基地局１と移動局２との距離を推定するＧＰＳ距離推定部としての機能を果たしている。
【００４５】
具体的な動作について、図９を参照しながら説明すると、例えば、移動局２は、基地局１とのＤＣＨによる通信中に（ステップＳ２１）、ＧＰＳ位置情報取得部２７によりＧＰＳを用いて現在の移動局１の位置情報（緯度、軽度、高度など）を取得し、取得した位置情報をＧＰＳ位置情報送信部２８により送信部２１を通じて基地局１へ送信する。この位置情報は、基地局１の移動局ＧＰＳ位置情報受信部１７により受信される。
【００４６】
一方、基地局１では、現在の送信電力が所定の閾値を超えているか否かを判定し（ステップＳ２２）、超えていなければ処理を終えるが（ステップＳ２２のＮｏルート）、超えていれば移動局ＧＰＳ位置情報受信部１７により受信した位置情報から基地局１と移動局２との距離を求め、所定の閾値との比較により基地局１と移動局２との距離判定を行なう（ステップＳ２２のＹｅｓルートからステップＳ２３）。
【００４７】
その結果、基地局１と移動局２との距離が遠いと判定した場合、その判定結果を受けてコンプレストモード起動制御部１４がコンプレストモードを起動するが（ステップＳ２３のＹｅｓルートからステップＳ２４）、そうでなければ（基地局１と移動局２との距離が近いと判定した場合）、コンプレストモード起動制御部１４は、コンプレストモードの起動を禁止（抑制）する（ステップＳ２３のＮｏルート）。
【００４８】
このように、本実施形態によれば、基地局１と移動局２との間の距離をＧＰＳを用いて高精度に判断し、その距離が所定距離よりも近い場合にコンプレストモードの起動を抑制することができるので、前述した第１及び第２実施形態に比して、より高精度に、不要な隣接セル検出、及び、ハンドオーバ等の処理の防止を期待できる。
なお、本例では、移動局２側で測定した位置情報を基地局１に通知し、基地局１が移動局２との距離を判断し、その判断結果によってコンプレストモードを起動／禁止するようになっているが、例えば、基地局１側で測定した位置情報を移動局２に通知し、移動局２が基地局１との距離を判断し、コンプレストモードの起動／禁止を基地局１に通知するようにしてもよい。
【００４９】
〔Ｄ〕第４実施形態
図１０は本発明の第４実施形態に係るW-CDMA移動通信システムの構成を示すブロック図で、この図１０に示すシステムは、少なくとも２台の基地局１−１，１−２と、これらの基地局１−１，１−２に同時接続（通信）可能な少なくとも１台の移動局２とをそなえて構成され、基地局１−１，１−２は、それぞれ、送信部１１，受信部１２，コンプレストモード起動制御部１４及び距離判定部１８をそなえて構成され、移動局２は、送信部２１と受信部２２とをそなえて構成されている。
【００５０】
ここで、移動局２において、送信部２１及び受信部２２は、それぞれ、既述のものと同様のものであり、基地局１−１，１−２において、送信部１１及び受信部１２は、それぞれ、既述のものと同様のものであり、距離判定部１８は、前述した第１〜第３実施形態のいずれかの手法を用いて（あるいは、組み合わせにより）、自局１−１又は１−２と移動局２との距離を判定するもので、本例では、その判定結果を基地局１−１，１−２間で送受してすべての基地局１−１，１−２において移動局２との距離を把握できるようになっている（図１０中のライン１９参照）。つまり、本例の距離判定部１８は、移動局２が複数の基地局１−１，１−２と通信中の場合に、これらの基地局１−１，１−２と移動局２との間の距離をそれぞれ測定する複数距離測定部としての機能を果たすのである。
【００５１】
また、コンプレストモード起動制御部（制御手段、コンプレストモード起動禁止部）１４は、距離判定部１８の判定結果に応じてコンプレストモードの起動を制御するもので、本例では、すべての基地局１−１，１−２と移動局２との距離が遠いと判定された場合にコンプレストモードを起動し、それ以外の場合（少なくとも１つ基地局１−１，１−２との距離が閾値よりも小さく短い場合）にはコンプレストモードは起動しない（抑制する）ようになっている。
【００５２】
なお、図１０においては、便宜上、図示を簡略化しているが、第１〜第３実施形態のうち適用する手法（あるいは組み合わせ）に応じて基地局１−１，１−２及び移動局２に既述の機能が装備されていることはいうまでもない。
以下、上述のごとく構成された本実施形態のシステムの動作について、図１１及び図１２を参照しながら説明する。
【００５３】
例えば図１１に示すように、移動局２が複数の基地局１−１，１−２とＤＣＨにより同時通信している状況において（ステップＳ３１）、基地局１では、距離判定部１８によりすべての基地局１−１，１−２と移動局２との距離が所定距離よりも長い（遠い）か否かを判定する（ステップＳ３２）。その結果、すべての基地局１−１，１−２と移動局２との距離が遠いと判定した場合、具体的には、例えば図１２に示すように、基地局（ＢＴＳ）１−１，１−２がそれぞれ形成するセル１０１，１０２内の基地局近傍エリア１１１，１２１のいずれにも移動局（ＭＳ）２が位置していない場合、コンプレストモード起動制御部１８は、コンプレストモードを起動し（ステップＳ３２のＹｅｓルートからステップＳ３３）、そうでない場合には処理を終了してコンプレストモードの起動は行なわない（ステップＳ３２のＮｏルート）。図１２に示す例では、基地局近傍エリア１１１や１２１に移動局２が位置している場合には、コンプレストモードの起動は禁止（抑制）される。
【００５４】
このように、本実施形態によれば、移動局２が複数の基地局１−１，１−２と同時通信している場合、第１〜第３実施形態で述べたいずれかの方法（あるいは組み合わせ）によりそれぞれの基地局１−１，１−２と移動局２との距離を判断し、いずれかの基地局１−１，１−２が移動局２との距離が近いと判断した場合に、コンプレストモードの起動を抑制するので、さらに効果的に、不要な隣接セル検出、及び、ハンドオーバ等の処理の発生を防止することができる。
【００５５】
〔Ｅ〕付記
（付記１）
複数の基地局と、該基地局と通信し得る移動局とをそなえ、該移動局が一の基地局から他の基地局へ通信先を切り替えるハンドオーバ時にコンプレストモードを起動しうる移動通信システムであって、
該基地局と該移動局との間の距離を測定する距離測定手段と、
該距離測定手段により測定した距離に応じて前記コンプレストモードの起動を制御する制御手段とをそなえたことを特徴とする、移動通信システム。
【００５６】
（付記２）
該制御手段が、
該距離測定手段により測定した距離と前記所定の閾値とを比較する比較部と、
該比較部による比較の結果、前記測定した距離が前記閾値よりも短いと、前記コンプレストモードの起動を禁止するコンプレストモード起動禁止部とをそなえたことを特徴とする、付記１記載の移動通信システム。
【００５７】
（付記３）
該距離測定手段が、
該移動局での該基地局からの信号受信レベルの測定結果に基づいて、前記の基地局と移動局との間の距離を推定する信号受信レベル距離推定部として構成されたことを特徴とする、付記１又は２に記載の移動通信システム。
【００５８】
（付記４）
該信号受信レベルの測定対象が該基地局と該移動局との間の非電力制御対象の共通チャネルであることを特徴とする、付記３記載の移動通信システム。
（付記５）
該距離測定手段が、
該基地局と該移動局との間で送受されるデータの伝搬遅延量に基づいて、前記の基地局と移動局との間の距離を推定する伝搬遅延量距離推定部として構成されたことを特徴とする、付記１又は２に記載の移動通信システム。
【００５９】
（付記６）
該距離測定手段が、
ＧＰＳ（Global Positioning System）による該基地局及び該移動局についての位置測位結果に基づいて、前記の基地局と移動局との間の距離を推定するＧＰＳ距離推定部として構成されたことを特徴とする、付記１又は２に記載の移動通信システム。
【００６０】
（付記７）
該距離測定手段が、
該移動局が同時に複数の基地局と通信中の場合に、当該複数の基地局と該移動局との間の距離をそれぞれ測定する複数距離測定部として構成されるとともに、
該コンプレストモード起動禁止部が、
該複数距離測定部により測定された複数の距離のうち、少なくとも１つの距離が前記閾値よりも短いと、前記コンプレストモードの起動を禁止するように構成されたことを特徴とする、付記２〜６のいずれか１項に記載の移動通信システム。
【００６１】
（付記８）
複数の基地局と、該基地局と通信し得る移動局とをそなえ、該移動局が一の基地局から他の基地局へ通信先を切り替えるハンドオーバ時にコンプレストモードを起動しうる移動通信システムにおいて、
該基地局と該移動局との間の距離を測定し、
測定した距離に応じて前記コンプレストモードの起動を制御することを特徴とする、移動通信システムにおけるコンプレストモード制御方法。
【００６２】
（付記９）
前記測定した距離が所定の閾値よりも短い場合に、前記コンプレストモードの起動を禁止することを特徴とする、付記８記載の移動通信システムにおけるコンプレストモード制御方法。
（付記１０）
前記の基地局と移動局との間の距離は、該移動局での該基地局からの信号受信レベルの測定結果に基づいて推定することを特徴とする、付記８又は９に記載の移動通信システムにおけるコンプレストモード制御方法。
【００６３】
（付記１１）
該信号受信レベルの測定対象が該基地局と該移動局との間の非電力制御対象の共通チャネルであることを特徴とする、付記１０記載の移動通信システムにおけるコンプレストモード制御方法。
（付記１２）
前記の基地局と移動局との間の距離は、該基地局と該移動局との間で送受されるデータの伝搬遅延量に基づいて推定することを特徴とする、付記８又は９に記載の移動通信システムにおけるコンプレストモード制御方法。
【００６４】
（付記１３）
前記の基地局と移動局との間の距離は、ＧＰＳ（Global Positioning System）による該基地局及び該移動局についての位置測位結果に基づいて推定することを特徴とする、付記８又は９に記載の移動通信システムにおけるコンプレストモード制御方法。
（付記１４）
該移動局が同時に複数の基地局と通信中の場合は、当該複数の基地局と該移動局との間の距離をそれぞれ測定し、該移動局と少なくとも１つの基地局との間の距離が前記閾値よりも短い場合に、前記コンプレストモードの起動を禁止することを特徴とする、付記９〜１３のいずれか１項に記載の移動通信システムにおけるコンプレストモード制御方法。
【００６５】
（付記１５）
複数の基地局と、該基地局と通信し得る移動局とをそなえ、該移動局が一の基地局から他の基地局へ通信先を切り替えるハンドオーバ時にコンプレストモードを起動しうる移動通信システムにおける前記基地局であって、
該移動局との間の距離を測定する距離測定手段と、
該距離測定手段により測定した距離に応じて前記コンプレストモードの起動を制御する制御手段とをそなえたことを特徴とする、移動通信システムにおける基地局。
【００６６】
（付記１６）
該制御手段が、
該距離測定手段により測定した距離と前記所定の閾値とを比較する比較部と、
該比較部による比較の結果、前記測定した距離が前記閾値よりも短いと、前記コンプレストモードの起動を禁止するコンプレストモード起動禁止部とをそなえたことを特徴とする、付記１５記載の移動通信システムにおける基地局。
【００６７】
（付記１７）
該距離測定手段が、
該移動局での該基地局からの信号受信レベルの測定結果に基づいて、前記の基地局と移動局との間の距離を推定する信号受信レベル距離推定部として構成されたことを特徴とする、付記１５又は１６に記載の移動通信システムにおける基地局。
【００６８】
（付記１８）
該信号受信レベルの測定対象が該基地局と該移動局との間の非電力制御対象の共通チャネルであることを特徴とする、付記１７記載の移動通信システムにおける基地局。
（付記１９）
該距離測定手段が、
該基地局と該移動局との間で送受されるデータの伝搬遅延量に基づいて、前記の基地局と移動局との間の距離を推定する伝搬遅延量距離推定部として構成されたことを特徴とする、付記１５又は１６に記載の移動通信システムにおける基地局。
【００６９】
（付記２０）
該距離測定手段が、
ＧＰＳ（Global Positioning System）による該基地局及び該移動局についての位置測位結果に基づいて、前記の基地局と移動局との間の距離を推定するＧＰＳ距離推定部として構成されたことを特徴とする、付記１５又は１６に記載の移動通信システムにおける基地局。
【００７０】
（付記２１）
該距離測定手段が、
該移動局が同時に複数の基地局と通信中の場合に、当該複数の基地局と該移動局との間の距離をそれぞれ測定する複数距離測定部として構成されるとともに、
該コンプレストモード起動禁止部が、
該複数距離測定部により測定された複数の距離のうち、少なくとも１つの距離が前記閾値よりも短いと、前記コンプレストモードの起動を禁止するように構成されたことを特徴とする、付記１６〜２０のいずれか１項に記載の移動通信システムにおける基地局。
【００７１】
（付記２２）
複数の基地局と、該基地局と通信し得る移動局とをそなえ、該移動局が一の基地局から他の基地局へ通信先を切り替えるハンドオーバ時にコンプレストモードを起動しうる移動通信システムにおける前記移動局であって、
該基地局との間の距離を測定する距離測定手段と、
該距離測定手段により測定した距離に応じて前記コンプレストモードの起動を制御するための制御情報を生成する制御情報生成手段と、
該制御情報生成手段により生成された該制御情報を該基地局へ送信する制御情報送信手段とをそなえたことを特徴とする、移動通信システムにおける移動局。
【００７２】
（付記２３）
該制御情報生成手段が、
該距離測定手段により測定した距離と前記所定の閾値とを比較する比較部と、
該比較部による比較の結果、前記測定した距離が前記閾値よりも短いと、前記コンプレストモードの起動を禁止するコンプレストモード起動禁止制御情報を生成するコンプレストモード起動禁止制御情報生成部とをそなえて構成されたことを特徴とする、付記２２記載の移動通信システムにおける移動局。
【図面の簡単な説明】
【００７３】
【図１】本発明の第１実施形態に係るW-CDMA移動通信システムの構成を示すブロック図である。
【図２】図１に示すシステムの動作（コンプレスト制御方法）を説明するためのフローチャートである。
【図３】図１に示すシステムの変形例を示すブロック図である。
【図４】本発明の第２実施形態に係るW-CDMA移動通信システムの構成を示すブロック図である。
【図５】図４に示すシステムにおける基地局と移動局との間の送受信タイミング例（距離が遠い場合）を示す図である。
【図６】図４に示すシステムにおける基地局と移動局との間の送受信タイミング例（距離が近い場合）を示す図である。
【図７】図４に示すシステムの動作（コンプレスト制御方法）を説明するためのフローチャートである。
【図８】本発明の第３実施形態に係るW-CDMA移動通信システムの構成を示すブロック図である。
【図９】図８に示すシステムの動作（コンプレスト制御方法）を説明するためのフローチャートである。
【図１０】本発明の第４実施形態に係るW-CDMA移動通信システムの構成を示すブロック図である。
【図１１】図１０に示すシステムの動作（コンプレスト制御方法）を説明するためのフローチャートである。
【図１２】図１０に示すシステムの動作（コンプレスト制御方法）を説明するためのイメージ図である。
【図１３】W-CDMA（Wideband-Code Division Multiple Access）移動通信システムの一例を示すブロック図である。
【図１４】従来技術の課題を説明すべくW-CDMA移動通信システムの一例を示すブロック図である。
【符号の説明】
【００７４】
１，１−１，１−２  基地局（ＢＴＳ）
１１  送信部
１２  受信部
１３  受信レベル比較部
１４  コンプレストモード起動制御部
１５  コンプレストモード起動制御情報受信部
１６  送信遅延量測定部
１７  移動局ＧＰＳ位置情報受信部
１８  距離判定部
２  移動局（ＭＳ）
２１  送信部
２２  受信部
２３  受信レベル測定部
２４  受信レベル通知部
２５  比較部
２６  コンプレストモード起動制御情報生成部
２７  ＧＰＳ位置情報取得部
２８  ＧＰＳ位置情報送信部
１０１，１０２  セル
１１１，１２１  基地局近傍エリア
【図１】
2006333314.tif 000003
【図２】
2006333314.tif 000004
【図３】
2006333314.tif 000005
【図４】
2006333314.tif 000006
【図５】
2006333314.tif 000007
【図６】
2006333314.tif 000008
【図７】
2006333314.tif 000009
【図８】
2006333314.tif 000010
【図９】
2006333314.tif 000011
【図１０】
2006333314.tif 000012
【図１１】
2006333314.tif 000013
【図１２】
2006333314.tif 000014
【図１３】
2006333314.tif 000015
【図１４】
2006333314.tif 000016